(57)【要約】【課題】従来使用していた導電性ゴムスイッチやタクトスイッチ等の部品を使用することないカメラにおける電気的スイッチを提供すること。【解決手段】撮影フィルムを給送させるための給送ユニットを保持するフィルム給送ユニット保持板を有し、前記フィルム給送ユニット保持板には弾性部が一体に形成され、前記弾性部は電気的接続手段の一部を構成していることを特徴とするカメラ。【選択図】　　　図１
2004061921.tif 000002
【特許請求の範囲】
【請求項１】
撮影フィルムを給送させるための給送ユニットを保持するフィルム給送ユニット保持板を有し、前記フィルム給送ユニット保持板には弾性部が一体に形成され、前記弾性部は電気的接続手段の一部を構成していることを特徴とするカメラ。
【請求項２】
請求項１において、前記弾性部は前記給送ユニットを保持している保持範囲の外に形成されており、前記フィルム給送ユニット保持板には、前記弾性部と前記給送ユニットを保持している保持範囲との間にスリット状溝部が形成されていることを特徴とするカメラ。
【請求項３】
前記フィルム給送ユニット保持板は、導電性材料で形成され、前記フィルム給送ユニット保持板には、更に回路基板と電気的に接続する接続部が一体に形成され、前記接続部と前記弾性部により構成される前記電気的接続手段を具備することを特徴とする請求項１、２のカメラ。
【請求項４】
請求項３において、前記接続部は前記回路基板と常に接続され、前記弾性部が前記回路基板と接続または非接続することにより前記電気的接続手段を構成することを特徴とするカメラ。
【請求項５】
前記回路基板はフレキシブルプリント基板であることを特徴とする請求項４に従うカメラ。
【請求項６】
撮影レンズ鏡筒と、該撮影レンズ鏡筒を駆動させる撮影レンズ鏡筒駆動機構と、該撮影レンズ鏡筒駆動機構を保持する撮影レンズ鏡筒機構保持板とを有し、前記撮影レンズ鏡筒機構保持板には弾性部が一体に形成され、前記弾性部は電気的接続手段の一部を構成していることを特徴とするカメラ。
【請求項７】
請求項６において、前記弾性部は前記撮影レンズ鏡筒駆動機構を保持している保持範囲の外に有り、前記弾性部と前記撮影レンズ鏡筒機構を保持している保持範囲との間にスリット状溝部が形成されていることを特徴とするカメラ。
【請求項８】
前記撮影レンズ鏡筒機構保持板は導電性材料で形成され、前記撮影レンズ鏡筒保持板には更に、回路基板と電気的に接続する接続部が一体に形成され、前記接続部と前記弾性部により構成される前記電気的接続手段を具備することを特徴とする請求項６のカメラ。
【請求項９】
請求項８において、前記接続部は回路基板と常に接続し、前記弾性部が前記回路基板と接続または非接続することにより前記電気的接続手段を構成することを特徴とするカメラ。
【請求項１０】
前記回路基板にはフレキシブルプリント基板であることを特徴とする請求項９のカメラ。
【発明の詳細な説明】
【０００１】
【発明の属する技術分野】
本発明は、電気的スイッチを搭載するカメラに関するものである。
【０００２】
【従来の技術】
従来より、写真撮影等を行うカメラにおいて、特許番号２８９３２９５号に示すように、写真撮影を行った後、撮影フィルムを全て使用せずに途中で巻戻し動作を行いたい場合、リワインドボタンを押すことにより撮影フィルムが巻き込まれるようになっている。このようなリワインドスイッチは、操作者が簡単に押せない位置、例えばカメラ下面に配置されている場合が一般的である。代表的なリワインドスイッチの構成としては実装基板上に導電性ゴムスイッチを配置し、その上にキャップをつけるという例がある。しかし、この構成は特にリワインドスイッチに限ったものではない。
【０００３】
また、スイッチの構成として電気部品であるタクトスイッチをボタンで押す方式がある。この場合ボタンの復帰はコイルバネ等で行う。
【０００４】
電池の接続としても専用の端子が必要とするのがあたりまえである。
【０００５】
【発明が解決しようとする課題】
前述に示すように従来の構成によって電気的スイッチを構成する場合、導電性ゴムスイッチの形状が複雑になり、またその上にキャップを載せる場合、外装カバーとはめ合わせて無理組みしたりする場合もあり、組み立て上難しい場合がある。また、導電性ゴムスイッチのストロークを確保しスイッチキャップも入れないといけないため、そのためのスペースを作る必要があり、若干ではあるがカメラ全体の大きさにかかわることもある。また部品数も多く必要であり、コストアップの要因となっている。
【０００６】
最近のカメラでは小型化が進められており前述のような電気的スイッチの接点をフレキシブル基板で構成する場合が多くなっているが、電気的スイッチ専用として構成した場合その分のコストも高くなってしまう。
【０００７】
また電気部品であるタクトスイッチを使用する場合、タクトスイッチ自体のコストが他のメカ部品より高価であるという要因がある。
【０００８】
本発明は、上記従来の問題点を解消し、従来使用していた導電性ゴムスイッチやタクトスイッチ等の部品を使用することなく電気的スイッチを構成することを課題とする。
【０００９】
【課題を解決するための手段】
そして、本発明は、撮影フィルムを給送させるための給送ユニットを保持するフィルム給送ユニット保持板を有し、前記フィルム給送ユニット保持板には弾性部が一体に形成され、前記弾性部は電気的接続手段の一部を構成することによって、この弾性部をスイッチの一部として電気的接点を形成する。これにより専用部品を使わずに電気的スイッチや接片を設けることができる。
【００１０】
特に、前記弾性部は前記給送ユニットを保持している保持範囲の外に形成されており、前記フィルム給送ユニット保持板には、前記弾性部と前記給送ユニットを保持している保持範囲との間にスリット状溝部が形成されている。これにより、前記弾性部の弾性力がスイッチや接片として適切に作用して、専用部品を使わずに電気的スイッチや接片を設けることができる。
【００１１】
また、前記フィルム給送ユニット保持板は導電性材料で構成され、給送ユニット保持板には、回路基板と電気的に接続する接続部が一体に形成されている。そしてこの接続部と弾性部によって電気接続手段が構成されるものである。
【００１２】
また、他の発明は、撮影レンズ鏡筒と、該撮影レンズ鏡筒を駆動させる撮影レンズ鏡筒駆動機構と、該撮影レンズ鏡筒駆動機構を保持する撮影レンズ鏡筒機構保持板とを有し、前記撮影レンズ鏡筒機構保持板には弾性部が一体に形成され、前記弾性部は電気的接続手段の一部を構成している。そしてこの弾性部をスイッチの一部として電気的接点を形成する。これにより専用部品を使わずに電気的スイッチや接片を設けることができる。
【００１３】
特に、前記弾性部は前記撮影レンズ鏡筒駆動機構を保持している保持範囲の外に有り、前記弾性部と前記撮影レンズ鏡筒機構を保持している保持範囲との間にスリット状溝部が形成されている。これにより、前記弾性部の弾性力がスイッチや接片として適切に作用して、専用部品を使わずに電気的スイッチや接片を設けることができる。
【００１４】
また、前記撮影レンズ鏡筒機構保持板は導電性材料で形成され、前記撮影レンズ鏡筒保持板には更に、回路基板と電気的に接続する接続部が一体に形成され、前記接続部と前記弾性部により構成される前記電気的接続手段を具備することにある。
【００１５】
また、前記接続部は回路基板と常に接続し、前記弾性部が前記回路基板と接続または非接続することにより前記電気的接続手段を構成している。また、この回路基板にはフレキシブルプリント基板である。
【００１６】
【発明の実施の形態】
以下、本発明を図示の実施例に基づいて詳細に説明する。
【００１７】
（第１の実施例）
まず、図３から図６に本発明に関するカメラの概観図を示す。図３は正面図、図４は上面図、図５は下面図、図６は背面図である。
【００１８】
カメラは背蓋２３及び電池蓋２４を有しており、また、カメラバリア１５を有している。カメラにはカメラカバー１２が取り付けられている。背蓋２３及び電池蓋２４は本体に開閉自在に組みつけられている。
【００１９】
背蓋２３は背蓋開放ボタン（不図示）を操作することにより開状態になる。背蓋２３は手動で本体に収納する方向に回転させ押し込むことにより閉状態になる。本体には電池蓋２４内部にリチウム電池が収納されるようになっている。
【００２０】
本体の下面には三脚取付部２９が設けられている。また背蓋２３にはフィルム確認窓３０が形成され、直接パトローネ室の撮影フィルムケースを視認できるようになっている。
【００２１】
このカメラには、図２に示すように多くの撮影フィルム給送部品（給送ユニット）が備えられている。フォークギア５に撮影フィルムケースが係合して一体に回転可能であり、フィルムスプール５に撮影フィルムが巻きつくようになっている。フィルムスプール５内部にはフィルムモータ（不図示）が挿入されており撮影フィルム給送駆動ユニット全体の駆動源となっている。遊星アーム６と遊星ギア７によって遊星機構が形成されており、フィルムモータの正転逆転により遊星ギア７はフィルムスプール５またはフィルムギア８に噛合う。撮影フィルムを巻上げるときに遊星ギア７はフィルムスプール５と噛合し、フィルムスプール５を回転させることにより行う。撮影フィルムを巻戻すときは遊星ギア７をフィルムギア８に噛合させフィルムギア９、フィルムギア１０、フォークギア１１と動力を伝え回転させることにより行われる。
【００２２】
背蓋２３を開状態にし、撮影フィルムケースを本体２内部に収納し背蓋２３を閉状態にするとオートロードして例えば４駒給送して初期状態の撮影可能状態となる。
【００２３】
カメラ下面にはマニュアルリワインドスイッチ２０があり、これの押圧操作で撮影フィルムを撮影フィルムケースに巻戻すことができる。
【００２４】
本体２の中央部には撮影レンズ鏡筒１４が備えられ、カメラバリア１５によってカメラ不使用時は保護される。撮影レンズ鏡筒はズームモータ３１により駆動され、本体２の上部にはレリーズスイッチ１８、セルフタイマースイッチ１９が配置されており、前面にはファインダー１３、リモコン１７、ストロボ赤目ランプ１６が配置されている。本体下面にはパノラマスイッチ２１が配置されている。
【００２５】
図７に撮影レンズ鏡筒１４の構成図を示す。
【００２６】
ズームモータ３１が駆動源であり、ズームギア３２、ズームギア３３、ズームギア３４、ズームギア３５、ズームギア３６、ズームギア３７、ズームギア３８と連結し最終的に撮影レンズ鏡筒１４を駆動することになる。撮影レンズ鏡筒は撮影レンズ鏡筒保持手段３９に保持されている。カメラの主電源がＯＮの状態で、ズームスイッチ２２を押すとズームモータ３１が動作させられ撮影レンズ鏡筒１４が駆動することになる。ズームモータ３１の回転方向の正転・逆転により撮影レンズ鏡筒１４が繰出し方向に移動したり、収納方向に移動したりする。
【００２７】
図１０は本実施例におけるカメラの要部構成を示すプロック図である。
【００２８】
図１０において、マイコンはカメラの各種の動作の制御を行うものであり、内部に時間的なタイミングを計るタイマやカウンタなどの時間制御手段を有している。
【００２９】
主電源スイッチはカメラ自体のＯＮ・ＯＦＦを制御し、レリーズスイッチは写真撮影を行うためのものである。マニュアルリワインドスイッチは撮影フィルムが装填されているときに写真撮影途中で撮影フィルムを巻戻すときに使用する。測距手段は写真撮影時に被写体の距離を計測する手段であり、測光手段は写真撮影時に被写体の光特性を測定する。撮影手段は焦点調節，絞り駆動，シャッタ駆動等を行う。撮影フィルムモータ駆動手段は撮影フィルム給装を行うフィルム給送モータであり、撮影レンズ鏡筒モータ駆動手段は撮影レンズ鏡筒を駆動させるズームモータである。
【００３０】
前記フィルム給送部品（給送ユニット）はカメラ本体２とフィルム給送保持板（給送ユニット保持板）１に挟み込まれることでカメラに保持、あるいは支持されている。
【００３１】
従来ではカメラのスイッチを構成する部材は図８に示すように、電気基板２７に導電性ゴムスイッチ２６を接触可能に配置するようになっているのが一般的であり、さらにその上にスイッチキャップ２５を置く場合もある。また導電性ゴムスイッチを使用せずにタクトスイッチ（不図示）を使用する場合もある。
【００３２】
そこで本発明では、図１および図９に示すように導電性の金属で形成されているフィルム給送保持板１にスイッチの一部を構成する弾性部を一体で成形させている。この弾性部はフィルム給送部品を保持している保持部の範囲外に設けてあり、またフィルム給送部品の保持部と弾性部３の間にスリット状の溝が形成される。この溝の長さや幅を変えることにより弾性部３の反力を変更することができ、適切なスイッチ力量を選択することができる。またこの弾性部が塑性変形しない範囲でスイッチ力量を選択する必要がある。
【００３３】
この弾性部３に対面するスイッチの接点４０は回路基板４上に設けられており、弾性部３が接点４０に対して接続、非接続することによりスイッチを構成することになる。またスイッチのもう一方の端子１ａ（ここではグランドになる）はフィルム給送ユニット保持板と一体に形成されている。同じ回路基板上にはグランド接点４１が設けられており、保持部材２８（ここではネジ）により端子１ａとグラウンド接点４１の接続が保持されるようになっている。このとき保持部材２８はフィルム給送保持板をカメラ本体２に固定する機能も兼ねている。
【００３４】
近年のカメラは小型化の傾向がありそのため回路基盤は折り曲げ等に柔軟性のあるフレキシブルプリント基板を用いることが多くなっている。上記のようにすると従来例のように専用のスイッチ構成部材を使用せず、限られたスペースで電気的スイッチを構成することができる。
【００３５】
このスイッチの実施例としては以下に挙げるスイッチが可能である。撮影フィルムを使用者の意思で巻戻すマニュアルリワインドスイッチ。日時のモードを変えたり、日時をあわせたりするときに使うデートスイッチ。内蔵ストロボの発光状態のモードを変更するストロボスイッチ。カメラ全体の電源のＯＮ、ＯＦＦを切り換える電源スイッチ。撮影レンズ鏡筒の繰出し位置を変更するズームスイッチ。スラスト式フィルムケースを使用するいわゆるアドバンストフォトシステムのカメラにおいて、フィルムプリントの入力情報を変更するＣＨＰ切換スイッチ（画面サイズ切換スイッチ）。同様にアドバンストフォトシステムのカメラにおいて、フィルムケースの途中取り出しをするときに使用するＭＲＣスイッチ。同様にアドバンストフォトシステムのカメラにおいて、フィルムケースの収納蓋を開けるときに使用するフィルム収納蓋開スイッチ。
【００３６】
（第２の実施例）
第２の実施例としては、図１１に示すように導電性の金属で形成され、鏡筒機構を保持する撮影レンズ鏡筒機構保持板４２に弾性部４３を一体で成形することによってスイッチの一部を構成する。この弾性部４３は撮影レンズ鏡筒機構を保持している範囲外に有り、また撮影レンズ鏡筒機構保持板の保持部と弾性部４３の間にスリット状の溝が形成される。本実施例ではスリット状の溝部に折り曲げが入っている。この溝の長さや幅を変えることにより弾性部の反力を変更することができ、適切なスイッチ力量を選択することができる。またこの弾性部が塑性変形しない範囲でスイッチ力量を選択する必要がある。
【００３７】
スイッチの接点４４は回路基板４６の上に設けられており、弾性部４３が接点４４に対して接続、非接続することによりスイッチを構成することになる。またスイッチのもう一方の端子４５（ここではグランドになる）は、撮影レンズ鏡筒機構保持板と一体に形成されている。回路基板４６にはグラウンド接点４５が設けられており、保持部材４７（ここではネジ）により端子４５とグランド接点４８の接続が保持されるようになっている。このとき保持部材４７は撮影レンズ鏡筒機構保持板を固定する機能も兼ねている。
【００３８】
近年のカメラは小型化の傾向がありそのため前記回路基板は折り曲げ等に柔軟性のあるフレキシブル基板を用いることが多くなっている。上記のようにすると従来例のように専用のスイッチ構成部材を使用せず、限られたスペースで電気的スイッチを構成することができる。実施例２については近年開発が盛んなデジタルカメラにおいても搭載可能である。
【００３９】
このスイッチの実施例としては以下に挙げるスイッチの適用は前述した例を同じである。
【００４０】
撮影フィルムを使用者の意思で巻戻すマニュアルリワインドスイッチ。
【００４１】
（第３の実施例）
第１、第２の実施例ではスイッチとしての使用例を示したが、ここでは接片として使用した場合を示す。カメラの電源である電池４９には従来では専用のプラス、マイナスの電池接片を使用するのが一般的であった。
【００４２】
以下に本実施例をしめす。
【００４３】
図１２に示すように弾性部３を電池のマイナス端子として電池４９に接続できるようになっている。被接続手段４はカメラの電気基板（不図示）とコネクトしておりカメラのマイコンと通信できるようになっている。
【００４４】
フィルム給送駆動保持板１の接続部１ａが接続部を具備する被接続手段４に一体に形成されているコネクト部４１に保持手段であるネジ２８によって接続されることによって、カメラに電源を供給できる。
【００４５】
【発明の効果】
撮影フィルムを給送させるための給送ユニットを保持するフィルム給送ユニット保持板を有し、前記フィルム給送ユニット保持板には弾性部が一体に形成され、前記弾性部は電気的接続手段の一部を構成することによって、この弾性部をスイッチの一部として電気的接点を形成する。これにより専用部品を使わずに電気的スイッチや接片を設けることができる。
【００４６】
特に、前記弾性部は前記給送ユニットを保持している保持範囲の外に形成されており、前記フィルム給送ユニット保持板には、前記弾性部と前記給送ユニットを保持している保持範囲との間にスリット状溝部が形成されている。これにより、前記弾性部の弾性力がスイッチや接片として適切に作用して、専用部品を使わずに電気的スイッチや接片を設けることができる。
【００４７】
また、他の発明は、撮影レンズ鏡筒と、該撮影レンズ鏡筒を駆動させる撮影レンズ鏡筒駆動機構と、該撮影レンズ鏡筒駆動機構を保持する撮影レンズ鏡筒機構保持板とを有し、前記撮影レンズ鏡筒機構保持板には弾性部が一体に形成され、前記弾性部は電気的接続手段の一部を構成している。そしてこの弾性部をスイッチの一部として電気的接点を形成する。これにより専用部品を使わずに電気的スイッチや接片を設けることができる。
【００４８】
特に、前記弾性部は前記撮影レンズ鏡筒駆動機構を保持している保持範囲の外に有り、前記弾性部と前記撮影レンズ鏡筒機構を保持している保持範囲との間にスリット状溝部が形成されている。これにより、前記弾性部の弾性力がスイッチや接片として適切に作用して、専用部品を使わずに電気的スイッチや接片を設けることができる。
【００４９】
また、前記撮影レンズ鏡筒機構保持板は導電性材料で形成され、前記撮影レンズ鏡筒保持板には更に、回路基板と電気的に接続する接続部が一体に形成され、前記接続部と前記弾性部により前記電気的接続手段は構成される。
【図面の簡単な説明】
【図１】本発明の一実施例におけるカメラのスイッチを示す図である。
【図２】本発明の一実施例におけるカメラのフィルム給送機構の構成を示す図である。
【図３】本発明の一実施例におけるカメラの要部構成を示す正面図である。
【図４】本発明の一実施例におけるカメラの要部構成を示す上面図である。
【図５】本発明の一実施例におけるカメラの要部構成を示す底面図である。
【図６】本発明の一実施例におけるカメラの要部構成を示す背面図である。
【図７】本発明の一実施例におけるカメラの撮影レンズ鏡筒および撮影レンズ鏡筒駆動機構を示す図である。
【図８】従来の一実施例におけるカメラのスイッチ構成を示す図である。
【図９】本発明の一実施例におけるカメラのスイッチ構成を示す図である。
【図１０】本発明の一実施例におけるカメラの要部構成を示すブロック図である。
【図１１】本発明の一実施例におけるカメラのスイッチ構成を示す図である。
【図１２】本発明の一実施例におけるカメラのスイッチ構成を示す図である。
【符号の説明】
１　フィルム給送ユニット保持板
１ａ　接続部
２　本体
３　弾性部
４　回路基板
５　フィルムスプール
６　遊星アーム
７　遊星ギア
８　フィルムギア８
９　フィルムギア９
１０　フィルムギア１０
１１　フォークギア
１２　カメラカバー
１３　ファインダー
１４　撮影レンズ鏡筒
１５　カメラバリア
１６　ストロボ赤目ランプ
１７　リモコン
１８　レリーズスイッチ
１９　セルフタイマースイッチ
２０　マニュアルリワインドスイッチ
２１　パノラマスイッチ
２２　ズームスイッチ
２５　スイッチキャップ
２７　電気基板
２８　保持部材
２９　三脚取付部
３０　フィルム確認窓
３１　ズームモータ
３２　ズームギア３２
３３　ズームギア３３
３４　ズームギア３４
３５　ズームギア３５
３６　ズームギア３６
３７　ズームギア３７
３８　ズームギア３８
４０　接点
４１　グランド接点
４２　撮影レンズ鏡筒機構保持板
４３　弾性部
４４　接点
４５　端子
４６　回路基板
４７　保持部材
４８　グランド接点
４９　電池
【図１】
2004061921.tif 000003
【図２】
2004061921.tif 000004
【図３】
2004061921.tif 000005
【図４】
2004061921.tif 000006
【図５】
2004061921.tif 000007
【図６】
2004061921.tif 000008
【図７】
2004061921.tif 000009
【図８】
2004061921.tif 000010
【図９】
2004061921.tif 000011
【図１０】
2004061921.tif 000012
【図１１】
2004061921.tif 000013
【図１２】
2004061921.tif 000014